(57)【特許請求の範囲】
【請求項１】
板状の基台と、前記基台上に鉛直に設けられ、編み棒を頂面部に保持する柱状体からなる編み棒保持体と、前記編み棒を前記基台に対して水平状態に固定するための固定具とからなるものであって、
前記編み棒保持体は、その頂面部に、柱状体の中心を通り両端に開口する編み棒保持用の凹溝を有し、
前記固定具は、前記凹溝内に保持された編み棒を、前記凹溝の両端において固定する、前記編み棒保持体に設けられた弾性を有する索条と、前記編み棒保持体に設けられた、前記索条の一部と係合する係合体からなること
を特徴とする片手編み装置。
【請求項２】
前記編み棒保持体は、
円柱又は角柱であること
を特徴とする請求項１に記載の片手編み装置。
【請求項３】
前記基台は、
その裏面部に、基台を固定するための吸着具を装着したものであること
を特徴とする請求項１に記載の片手編み装置。
【発明の詳細な説明】
【０００１】
【発明の属する技術分野】
この発明は、片手でも簡単に編み物をすることができる、片手編み装置に関するものである。
【０００２】
【従来の技術】
一般に、編み物は、織物のような経糸と緯糸を区別して織り上げるものではなく、１本あるいは１本の働きをする複数本の糸や紐などを、絡ませる、組み合わせる、引っ掛ける、交差する、輪をつなげるなどの多くの手法を駆使して作られるもので、手編みも、この手法を出発点とした多分に手工芸的なものと考えられている。
【０００３】
【発明が解決しようとする課題】
編み物における手編み作業は、通常、２本もしくはそれ以上の数の棒針や鉤針を利用するため両手を使用するのが原則であるので、何らかの理由で片手が不自由な場合には、編み物はむずかしく、できたとしても編み方が限定されるなどの問題を有していた。
【０００４】
この発明はかかる現状に鑑み、片手が自由に使用できれば、誰もが、簡単かつ容易に所望の編み物を得ることができ、しかも、構造がきわめて簡単な片手編み装置を提供せんとするものである。
【０００５】
【課題を解決するための手段】
前記の目的を達成するため、請求項１に記載の片手編み装置は、
板状の基台と、前記基台上に鉛直に設けられ、編み棒を頂面部に保持する柱状体からなる編み棒保持体と、前記編み棒を前記基台に対して水平状態に固定するための固定具とからなるものであって、
前記編み棒保持体は、その頂面部に、柱状体の中心を通り両端に開口する編み棒保持用の凹溝を有し、
前記固定具は、前記凹溝内に保持された編み棒を、前記凹溝の両端において固定する、前記編み棒保持体に設けられた弾性を有する索条と、前記編み棒保持体に設けられた、前記索条の一部と係合する係合体からなること
を特徴とするものである。
【０００６】
【発明の実施の形態】
この発明に係る片手編み装置は、片手でも容易に編み物を作ることができるようにするため、編み棒の中央部を、基台に鉛直に設けた編み棒保持体の頂面部に、基台に対して水平状態で保持し、編み棒保持体から突出した編み棒を利用して編み物を行うものである。
【０００７】
編み棒を保持する編み棒保持体については特段の制限はないが、編み棒を確実に保持する観点からは、編み棒と当接する面積が大きい円柱や角柱のような柱状体が好ましい。
【０００８】
この編み棒保持体は、好ましくは柱状体からなる編み棒保持体の頂面部に、円柱状の柱状体においては、一方の円弧の一点から中心を通って他方の円弧に至るよう、角柱状の柱状体においては、対向する一方の辺から中心を通って他方の辺に至るようにＵ字又はＶ字状の編み棒保持用の凹溝を形成したものである。
したがって、前記凹溝内に編み棒の中央部を落とし込み、落とし込んだ編み棒を、凹溝の両端において、固定具によって固定するよう構成することによって、編み棒を、簡単かつ容易に編み棒保持体にセットすることができる。
【０００９】
編み棒保持体に形成した編み棒保持用の凹溝は、この凹溝内に落とし込んだ編み棒を、凹溝の両側面で挟持して基台に対して水平に保持するものである。
さらに、この編み棒を、固定具を使用して、凹溝の両端で固定することによって、編み棒の棒軸が回転することなく、凹溝内の前後方向への移動を阻止して確実に固定することができる。
また、編み棒の太さに関係なく、凹溝内に編み棒を保持することができる。
【００１０】
編み棒保持体への編み棒の固定手段は、片手による固定と固定解除の操作を容易にするためである。
具体的には、前記編み棒保持体の一側面（背面部）に設けた係止金具に、ゴム紐を通して両端を互いに結束し、この環状のゴム紐の一部を、編み棒保持体の他側面（前面部）に形成した係止用突起に引っ掛けるように構成し、前記凹溝の両端で、固定具の前後に突き出た編み棒の上にゴム紐を回し、係止用突起に引っ掛けて編み棒を上から抑えるようにして固定する。
【００１１】
かかる断面Ｖ字状又はＵ字状の編み棒保持用の凹溝への落とし込みと、前記固定具による固定とによって、編み棒は、棒軸の回動や水平な前後方向への移動が完全に阻止され、先端を編み棒保持体から突出した状態で固定することができる。
【００１２】
この編み棒保持体は、基台上に鉛直に設けるものであって、テーブルや食卓などに載置して使用するものである。
編み物作業中に基台が移動すると、編み物が上手くできないおそれがあるため、基台の裏面に吸着盤を取付けるか、簡単に移動しないために、ラバーなど摩擦抵抗の大きなシートを貼着しておくことが好ましい。
【００１３】
【作用】
この発明の片手編み装置は、基台上に編み棒保持体を鉛直に設けると共に、この編み棒保持体の頂面部に、編み棒を基台に対して水平状態で保持固定し、編み棒保持体から突出する編み棒の先端部に編み糸を絡ませ、片手で引っ掛け、交差、輪をつなげるなどの操作の繰り返すことによって、編み物を製作することができるものである。
【００１４】
通常、編み物は両手で編んでいるときも、主として右手が編み棒を支えて固定状態を維持する役割を持ち、左手の動きによって編むものであるが、この発明の片手編み装置においては、編み棒を保持し固定することにより、片手のみによって充分に編むことができるものである。
なお、この片手編み装置は、編み棒の固定する方向を簡単に変えることができるため、一方の使える手に対応させて編むことも可能である。
【００１５】
【実施例】
以下、この発明の片手編み装置の実施例を、添付の図面に基づいて具体的に説明する。
図１で明らかなように、この発明の片手編み装置１は、基本的には、縦１２．５ｃｍ×横１７．０ｃｍの四角な木製の基台５と、この基台５の上面中央に鉛直に設けた高さ１２．０ｃｍの、同じく木製の円柱体からなる編み棒保持体２とから構成したものである。
前記編み棒保持体２の頂面部には、円形の中心を通って断面がＶ字状をなした編み棒保持用の凹溝３を形成する。
この編み棒保持用の凹溝３は、前記四角な基台５の相対する長辺に平行となるように設けられるとともに、基台５の下面の四隅には、半球状の吸盤６，６・・を一体的に取付ける。
この吸盤６，６・・によって、片手編み装置１は、テーブルなどに動かないように安定に設置される。
【００１６】
前記編み棒保持体２の、前記編み棒保持用の凹溝３を挟んだ一方の側面（図１の裏側）には、図示しないリング状の取付金具が設けられ、凹溝３を越えた他方の側面部（図１の表側）には、２個の係止用突起４，４を上下に設けている。
【００１７】
図示しない前記取付金具には、比較的太いゴム紐からなる弾性を有する索条で形成された固定具７の中央部を取付け、この固定具７の両端を結び合わせて環状とし、環状の固定具７を、編み棒保持体２の対向する側面の上下に設けた２個の掛止用突起４，４の、いずれかに引っ掛けることができるようにしている。
【００１８】
この片手編み装置１の編み棒保持体２に形成した断面Ｖ字状の凹溝３には、先端のフックＢを下向きになるようにして、鉤針からなる編み棒Ａの略中央部を落とし込んで水平に保持し、フックＢを編み棒保持体２の一方側に突出させる。
その際、編み棒保持体２に形成したＶ字状の編み棒保持用の凹溝３は、上方から下方に向けて両側の壁が次第に狭められているため、落とし込んだ編み棒Ａの棒軸が、凹溝３の両側部で挟まれ、回転や前後方向への移動がないように水平に保持される。
【００１９】
ついで、ゴム紐からなる前記固定具７を、編み棒保持用の凹溝３の両端部において、凹溝３から突き出た編み棒Ａの上を越えて振り分け、反対側の突起からなる係合体４，４のいずれかに掛け止めすることによって、編み棒Ａをさらに強固に固定する。
この場合、編み棒Ａの太さや種類によって、編み棒Ａを強く固定する場合には、下側の係合体４に固定具７を引っ掛け、弱く固定する場合には、上側の係合体４に引っ掛けて使い分けるようにするものである。
【００２０】
編み棒Ａの、前記編み棒保持用の凹溝３への落とし込みと、固定具７による固定は、いずれも片手の操作によって簡単に実施することができる。
また、編み棒Ａの取り外しも、その逆の操作によって、同様に至極容易に行うことができるものである。
【００２１】
かかる片手編み装置１は、図２に示すように、固定した編み棒Ａの先端のフックＢと、その近傍の棒軸の部分に編み糸Ｃを絡ませて作り目を形成し、片手で前記した糸の組み合わせ、交差あるいは輪をつなげるなどの操作を行って編み上げるものである。
なお、この片手編み装置１の基台５および編み棒保持体２は、使用時の感触などから好ましくはいずれも木製であるが、金属製やプラスチックであってもよい。
【００２２】
なお、図中８は、編み棒保持体２の頂面部に形成した半球状の凹部で、この凹部８内にビーズを保持しておくことによって、ビーズ編みもでき、かつビーズが、編み物中に転がり落ちることをも防止できるものである。
【００２３】
【発明の効果】
この発明の片手編み装置は、編み棒保持体を基台上に鉛直に設けると共に、編み棒保持体の頂面部に形成した編み棒保持用の凹溝内に、基台に対して水平となるよう編み棒の一部を保持固定し、編み棒保持体から編み棒の先端部を突出させるよう構成したので、突出した編み棒の先端部に編み糸を絡ませて引っ掛け、交差、輪をつなげるなどの操作を繰り返すことによって、片手でも簡単かつ容易に編み物を製作することができる。
【００２９】
特に、この発明の片手編み装置は、基台に鉛直に設けた編み棒保持体の頂面部に編み棒保持用の凹溝を形成し、この凹溝内に編み棒を落とし込むことによって、編み棒を編み棒保持体に簡単にセットすることができる。
また、セットした編み棒が、前記凹溝内で編み物中に回転したり、移動することがないよう、索条によって、ワンタッチ操作で編み棒保持体に固定することができる。
しかも、編み棒の固定する方向を簡単に変えることができるため、一方の使える手に対応させて編むことができるため、健常者は勿論のこと、片手や両手指に麻痺のある人、両手に協調性のない人、リュウマチなどで両手が変形している人など、障害を有する人や高齢者でも、容易に所望の編み物を製作することができる点に大きな利点を有するものである。
【図面の簡単な説明】
【図１】  この発明の片手編み装置の一例を示す斜視図である。
【図２】  図１の片手編み装置の使用状態を示す斜視図である。
【符号の説明】
１    片手編み装置
２    編み棒保持体
３    凹溝
４    係止体
５    基台
６    吸盤
７    固定具
Ａ    編み棒
Ｂ    フック
Ｃ    編み糸
【図１】
0004126572.tif 000002
【図２】
0004126572.tif 000003